(57)【特許請求の範囲】
【請求項１】
ディジタル放送を受信して受信映像を画面表示する受信映像表示手段と、前記受信映像とは異なる表示映像を作成して画面表示する情報表示手段と、を備えたディジタル放送受信装置において、前記受信映像とは異なる表示映像の作成開始の判断を行ったとき、または、前記情報表示手段による情報画面表示が行われている状態で絵文字化表示の判断を行ったときには受信映像の画面表示を行わせつつ画面非中央部分に絵文字表示を行わせ、当該絵文字表示が行われている状態で絵文字化解除の判断を行ったときには、前記情報表示手段による情報画面表示を行わせる制御手段を備えたことを特徴とするディジタル放送受信装置。
【請求項２】
請求項１に記載のディジタル放送受信装置において、ディジタル放送に含まれる番組情報を取得する番組情報取得手段を備え、前記制御手段は、前記番組情報取得手段の起動指示がなされたときには番組情報取得の処理を実行させる一方で受信映像の画面表示を行わせつつ画面非中央部分に絵文字表示を行わせ、当該絵文字表示が行われている状態で絵文字化解除の判断を行ったときには、前記情報表示手段による番組情報画面表示を行わせるように構成されたことを特徴とするディジタル放送受信装置。
【請求項３】
請求項２に記載のディジタル放送受信装置において、番組情報の取得状況を画面表示するように構成されたことを特徴とするディジタル放送受信装置。
【請求項４】
請求項１乃至請求項３のいずれかに記載のディジタル放送受信装置において、前記絵文字表示に対して操作が行われたときに絵文字化解除の判断を行うことを特徴とするディジタル放送受信装置。
【請求項５】
請求項２乃至請求項４のいずれかに記載のディジタル放送受信装置において、予め定められた数の番組情報を取得したときに絵文字化解除の判断を行うことを特徴とするディジタル放送受信装置。
【請求項６】
請求項２乃至請求項５のいずれかに記載のディジタル放送受信装置において、番組情報取得手段の起動指示がなされたときから予め定められた時間が経過したときに絵文字化解除の判断を行うことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
ディジタル信号圧縮技術を用いて映像・音声信号を圧縮するとともに、複数番組の映像・音声ディジタル信号を時分割多重したストリーム（トランスポート・ストリーム）をトランスポンダ（衛星中継器）を経由して放送するディジタル放送がある。前記トランスポンダは複数存在しており、しかも各トランスポンダには複数チャンネルが多重されるため、チャンネル数は百以上にもおよぶ膨大な数になっている。一方、このようなディジタル多チャンネル放送を受信する放送受信装置は、専用のアンテナを通して受け取ったディジタル放送の複数のトランスポンダのなかから一つをチューナによって選択し、この一つのトランスポンダに含まれる複数のチャンネルのうち一つをデマルチプレクス処理によって選択し、この選択したチャンネルのディジタル信号をデコードすることによって映像・音声信号を出力するようになっている。
【０００３】
ところで、このようなディジタルテレビ放送では、従来のアナログ放送と同様に映像や音声を送信することに加え、サービス情報（番組名、番組内容、番組開始時刻、番組終了時刻、番組ジャンルコード等）も送信しており、受信機側ではＯＳＤ（オンスクリーンディスプレイ）機能を用いたＥＰＧ（Ｅｌｅｃｔｒｏｎｉｃ  Ｐｒｏｇｒａｍ  Ｇｕｉｄｅ）画面表示機能によって、多チャンネル放送のなかからユーザが望む番組を効率良く選択することができる。
【０００４】
【発明が解決しようとする課題】
しかしながら、ユーザによって番組表の表示指令がなされてから番組情報を取得してその表示を行うにはかなりの時間を必要としているのが実情である。特に、ジャンル検索を行う場合は全てのサービス情報を検索する必要があり、一層時間がかかることになる。従来は、番組表の表示指令がなされると受信映像の画面出力を停止し、ＯＳＤによるＥＰＧ表示に切り換わるため、かなりの時間は受信映像を見ることができない。一方、このような不具合を解決するために、受信映像に重ねてＥＰＧ表示を行ったり、或いは受信映像を縮小表示して受信映像全体が見れるようにしているが、受信映像は見にくいものとなる。
【０００５】
この発明は、上記の事情に鑑み、受信映像を画面略全体に表示しつつ絵文字を前記受信映像に対して邪魔にならない位置に表示して受信映像の見にくさを回避する一方、所定の条件の下でＯＳＤによる情報表示画面に切り換わることができるディジタル放送受信装置を提供することを目的とする。
【０００６】
【課題を解決するための手段】
この発明のディジタル放送受信装置は、上記の課題を解決するために、ディジタル放送を受信して受信映像を画面表示する受信映像表示手段と、前記受信映像とは異なる表示映像を作成して画面表示する情報表示手段と、を備えたディジタル放送受信装置において、前記受信映像とは異なる表示映像の作成開始の判断を行ったとき、または、前記情報表示手段による情報画面表示が行われている状態で絵文字化表示の判断を行ったときには受信映像の画面表示を行わせつつ画面非中央部分に絵文字表示を行わせ、当該絵文字表示が行われている状態で絵文字化解除の判断を行ったときには、前記情報表示手段による情報画面表示を行わせる制御手段を備えたことを特徴とする。
【０００７】
上記の構成であれば、受信映像の画面表示が行われている状態で画面非中央部分に絵文字表示が行われるから、受信映像が見にくくなることはなく、且つ前記絵文字表示が表す内容の処理が画面には現れないが同時実行されていることをユーザは知ることが可能になる。そして、絵文字化解除の判断がなされたときには同時実行されていた処理に基づく情報表示画面を見ることができる。
【０００８】
ディジタル放送に含まれる番組情報を取得する番組情報取得手段を備え、前記制御手段は、前記番組情報取得手段の起動指示がなされたときには番組情報取得の処理を実行させる一方で受信映像の画面表示を行わせつつ画面非中央部分に絵文字表示を行わせ、当該絵文字表示が行われている状態で絵文字化解除の判断を行ったときには、前記情報表示手段による番組情報画面表示を行わせるように構成されているのがよい。
【０００９】
上記の構成であれば、ユーザによって番組表やジャンル検索の指令がなされたとき、絵文字化解除の判断がなされるまでは、画面には受信映像が表示され、絵文字は画面非中央部分に表示されるから、受信映像の見にくさが回避されるとともに番組情報取得の動作が行われていることをユーザは知ることができる。絵文字化解除の判断がなされると、画面には番組表やジャンル検索結果画面が表示されることになる。
【００１０】
番組情報の取得状況を画面表示するように構成されているのがよい。これによれば、番組情報の取得状況をユーザは知ることができるので、番組表示までどれくらい待てばよいのか分からない場合の不満が解消される。
【００１１】
絵文字化解除の判断は、前記絵文字表示に対して操作が行われたときに行うようにしてもよい。或いは、予め定められた数の番組情報を取得したたときや、番組情報取得手段の起動指示がなされたときから予め定められた時間が経過したときに自動的に行うようにしてもよい。
【００１２】
【発明の実施の形態】
以下、この発明の実施形態を図１乃至図３に基づいて説明するが、ここではユーザがＢＳ（Ｂｒｏａｄｃａｓｔｉｎｇ  ｖｉａ  Ｓａｔｅｌｌｉｔｅ）ディジタル放送を視聴する場合を例示している。図１はＢＳディジタル放送を受信するこの実施形態のディジタル放送受信装置３０を示したブロック図であり、図２は番組情報表示に関する画面表示例を示した説明図である。
【００１３】
図１に示すアンテナ１は、屋外において所定の方向に向けて配置されており、ＢＳから送られてくるディジタル放送信号を受信する。このアンテナ１は、一般に周波数変換器を備え、受信／周波数変換した信号をチューナ２に与える。
【００１４】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１５】
デマルチプレクサ（ＤＥＭＵＸ）３は、チューナ２から受け取ったトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオトランスポートパケット、オーディオトランスポートパケット、およびＰＳＩ（Ｐｒｏｇｒａｍ  Ｓｐｅｃｉｆｉｃ  Ｉｎｆｏｒｍａｔｉｏｎ）に分離する。デマルチプレクサ３は、ビデオトランスポートパケットとオーディオトランスポートパケットをＡＶデコーダ４に供給し、ＰＳＩに付加されているサービス情報（ＳＩ）などをＣＰＵ１３に供給する。なお、前述のごとく、トランスポート・ストリームには複数のチャンネルが多重化されており、このなかから任意のチャンネルを選択するための処理は、前記ＰＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩの情報に基づいて行うことができる。更に、前記サービス情報（ＳＩ）には、番組情報（番組内容、番組開始時刻、番組終了時刻、ジャンルコード等）が含まれている。
【００１６】
ＡＶデコーダ４は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。
【００１７】
ＯＳＤ（オンスクリーンディスプレイ）回路１２は、ＣＰＵ１３から出力指示された文字情報や色情報に基づくビットマップデータを加算器２０に出力する。加算器２０は前記ビットマップデータをＡＶデコーダ４から出力される映像データに組み込む処理を行う。上記ＯＳＤ回路１２により、ＣＰＵ１３が受け取った前述のＰＳＩに含まれるサービス情報（ＳＩ）に基づくＥＰＧ（Ｅｌｅｃｔｒｏｎｉｃ  Ｐｒｏｇｒａｍ  Ｇｕｉｄｅ）画面表示の他、後述するアイコン等の表示状態を実現することができる。
【００１８】
ＮＴＳＣ変換回路５は、前記の加算器２０から映像データを受け取ってＤ／Ａ変換を行い、ＮＴＳＣフォーマットのコンポジット信号に変換する。音声信号処理回路６は、ＡＶデコーダ４から出力された音声データを受け取ってＤ／Ａ変換を行い、例えば右（Ｒ）音のアナログ信号および左（Ｌ）音のアナログ信号を生成する。
【００１９】
映像出力回路７及び音声出力回路８は出力抵抗や増幅器等を備えて成る。ＡＶ出力端子９には出力部（左右音声出力端子等や映像出力端子のセット）が設けられており、この出力部には、映像／音声コード１７によって受像部１６ａ及びスピーカ１６ｂを備えるモニタ１６が接続される。
【００２０】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記リモコン送信機１０のキーが操作されたときに出射される信号光を受光し、これを電気信号に変換してＣＰＵ１３に与える。
【００２１】
この実施形態では、リモコン送信機１０には、ＯＳＤアイコン化及びその解除の機能を持たせた図示しないキーが用意されている。画面にＯＳＤ表示が行われている状態で当該キーを操作すると画面全体に受信映像が表示されるとともに、アイコンボタンＢが画面非中央部（図では画面左下）において表示される。この表示状態で再び当該キーを操作すると、ＯＳＤによる情報画面が画面全体において表示される。更に、この実施形態では、リモコン送信機１０を操作し、画面に表示されているアイコンボタンＢ上にカーソルを乗せて決定キーを押すことによっても上述と同じ操作が行えるようにしてある。
【００２２】
メモリ１４Ａには、番組表を構成することになるサービス情報（番組内容、番組開始時刻、番組終了時刻、ジャンル情報等）が格納される。不揮発性メモリ（例えば、ＥＥＰＲＯＭなど）１４Ｂには、番組情報自動表示条件（どの位の数又は何日分の番組情報が揃った、或いはどの位時間が経過したときに番組表やジャンル検索画面の全画面表示に自動切換を行うかといった情報）等が格納される。不揮発性メモリ１４Ｂは書込可能なメモリであるから、ユーザ側で前記条件情報を変更することが可能であり、且つ電源非印加状態でも記憶内容は保持されることになる。
【００２３】
ＣＰＵ１３は、この発明に係わる処理として以下の処理を行う。
【００２４】
▲１▼．ユーザがリモコン送信機等を用いて入力した前記条件情報を不揮発性メモリ１４Ｂに格納する処理を行う。
【００２５】
▲２▼．番組表やジャンル検索の指令がなされたときには、番組表やジャンル検索表の構成に必要なサービス情報（ＳＩ）を取得してメモリ１４Ａに格納していく。ここで、ジャンル検索を例にして説明すると、ジャンル検索の指令がなされた当初において図２（ａ）に示すジャンル検索表を表示しても、取得できたジャンル情報は少ないから、検索結果の表示は殆どない状態である。この図２（ａ）に示すジャンル検索表の右上にある「アイコン化」と表記したアイコンボタンＡの操作が行われたとき、或いは、リモコン送信機１０に設けられたＯＳＤアイコン化及びその解除の機能を持たせた図示しないキーが操作されたとき、図２（ｂ）に示す画面、すなわち画面全体に受信映像を表示するとともに、ＯＳＤ１２によって画面左下に「ジャンル検索」と表記したアイコンボタンＢを表示する。そして、このような受信映像表示を行いつつジャンル検索のための処理を続行する。なお、ジャンル検索の指令がなされたときにその当初画面表示として図２（ｂ）の画面を表示するようにしても構わない。
【００２６】
▲３▼．図２（ｂ）の状態において、画面左下にある「ジャンル検索」と表記されたアイコンボタンＢが操作されたかどうか、或いはリモコン送信機１０に設けられた前記ＯＳＤアイコン化及びその解除の機能を持たせたキーが操作されたかどうかを判断する。「ジャンル検索」と表記されたアイコンボタンＢ或いは前記キーが操作されたと判断したときには、図２（ａ）に示す画面に切り換え、ジャンル検索結果を表示する。
【００２７】
▲４▼．図２（ｂ）の状態において、番組情報の取得個数或いは経過時間をカウントし、不揮発性メモリ１４Ｂに格納されている絵文字化解除条件（設定番組数、設定経過時間）との比較処理を行い、番組情報の取得個数或いは経過時間が絵文字化解除条件を満たすと、図２（ａ）に示す画面に自動的に切り換えてジャンル検索結果を表示する。この機能は常に行われるものではなく、ユーザが当該機能を選択したときに実行される。なお、絵文字化解除条件を満たしたときに、「ジャンル検索」と表記されたアイコンボタンＢの色を変化させたり、明滅させたりすることにより、解除条件が満たされたことをユーザに通知し、前記▲３▼のごとくユーザによる操作が行われたときに、図２（ａ）に示す画面に切り換え、ジャンル検索結果を表示するようにすることも可能である。
【００２８】
▲５▼．図２（ｂ）の状態において、番組情報の取得個数をや経過時間をカウントし、不揮発性メモリ１４Ｂに格納されている絵文字化解除条件（設定番組数、設定経過時間）との対比処理を行い、上記設定に対して取得個数或いは経過時間が何パーセントに相当するかを示す表示（文字表示或いはグラフ表示）を行うようにしている。
【００２９】
なお、上記の例では、とくに番組情報のＯＳＤ表示について説明してが、ＯＳＤを表示する場面全てに適用することができる。
【００３０】
【発明の効果】
以上説明したように、この発明によれば、受信映像の画面表示が行われている状態で画面非中央部分に絵文字表示が行われるから、受信映像が見にくくなることはなく、且つ前記絵文字表示が表す内容の処理が画面には現れないが同時実行されていることをユーザは知ることが可能になる。そして、絵文字化解除の判断がなされたときには同時実行されていた処理に基づく情報表示画面を見ることができる。特に、ユーザによって番組表やジャンル検索の指令がなされたとき、絵文字化解除の判断がなされるまでは、画面には受信映像が表示され、絵文字は画面非中央部分に表示されるから、受信映像の見にくさが回避されるとともに番組情報取得の動作が行われていることをユーザーは知ることができる。絵文字化解除の判断がなされると、画面には番組表やジャンル検索結果画面が表示されることになる。また、番組情報の取得状況を画面表示する構成であれば、番組情報の取得状況をユーザは知ることができるので、番組表示までどれくらい待てばよいのか分からない場合の不満を解消できるという効果を奏する。
【図面の簡単な説明】
【図１】この発明の実施形態のディジタル放送受信装置を示すブロック図である。
【図２】同図（ａ）はジャンル検索画面の一例を示す説明図であり、同図（ｂ）は受信映像を画面全体に表示し、「ジャンル検索」のアイコンボタンを画面左下に表示した状態を示した説明図である。
【符号の説明】
１    アンテナ
２    チューナ
３    デマルチプレクサ（ＤＥＭＵＸ）
４    ＡＶデコーダ
５    ＮＴＳＣ変換回路
６    音声処理回路
１２  ＯＳＤ回路
１３  ＣＰＵ
１４Ｂ不揮発性メモリ
Ａ    アイコンボタン
Ｂ    アイコンボタン
【図１】
0003649994.tif 000002
【図２】
0003649994.tif 000003